【事件の表示】
　平成１１年特許願第２１４５５８号「田植機」拒絶査定不服審判事件〔平成１２年　２月　８日出願公開、特開２０００−　３７１１５〕について、次のとおり審決する。
【結　論】
　本件審判の請求は、成り立たない。
【理　由】
第一、手続きの経緯
　本願は、平成８年２月１４日に特許出願した特願平８−５２３９９号を、平成１１年７月２９日にその一部を分割して新たな特許出願とした特願平１１−２１４５５８号の出願であって、平成１２年９月１９日付で拒絶査定がなされ、これに対し、同年１０月２５日に拒絶査定に対する審判請求がなされるとともに、同年１１月２２日付で手続補正がなされたものである。
　
第二、平成１２年１１月２２日付の手続補正についての補正却下の決定
［補正却下の決定の結論］
　平成１２年１１月２２日付の手続補正を却下する。
［理由］
　（１）補正後の本願発明
　本件補正により、特許請求の範囲の請求項１は、
「複数組のホッパ（３７）（３７１）（３７２）及び繰出ケース（３８）（３８１）（３８２）を左右方向に並設させる施肥部（３６）を走行車（１）に設ける田植機において、中央のホッパ（３７）及び繰出ケース（３８）に対して左右のホッパ（３７１）（３７２）及び繰出ケース（３８１）（３８２）を回動自在に取付け、左右の繰出ケース（３８１）（３８２）に設ける繰出軸（１３７）を中央の繰出ケース（３８）に設ける固定側軸（１０９）に対して着脱自在に噛合連結させ、爪体（１３８）（１３９）によって左右の繰出ケース（３８１）（３８２）の繰出軸（１３７）と中央の繰出ケース（３８）の固定側軸（１０９）を連結させると共に、中央の繰出ケース（３８）の固定側軸（１０９）端部の爪体（１３８）を中央のホッパ（３７）の左右幅内に設け、前記爪体（１３８）（１３９）の噛合連結位置の前側に設ける支点軸（１４２）回りに左右繰出ケース（３８１）（３８２）を回転させて車体カバー（１２）側部の補助ステップ（１２５）上方に移行させることを特徴とする田植機。」と補正された。
　
　上記補正は
  補正前（平成１２年１月２５日付手続補正により補正された特許請求の範囲）の請求項１に記載された発明を特定するために必要な事項である「左右繰出ケース（３８１）（３８２）」について、「爪体（１３８）（１３９）の噛合連結位置の前側に設ける支点軸（１４２）回りに回転させて車体カバー（１２）側部の補助ステップ（１２５）上方に移行」させるように限定するものであるから、本件補正は、特許法第１７条の２第４項第２号の特許請求の範囲の減縮を目的とするものに該当する。
　
　（２）そこで、本件補正後の前記請求項１に記載された発明（以下、「本願補正発明」という）が特許出願の際独立して特許を受けることができるものであるのか（特許法第１７条の２第５項において準用する同法第１２６条第４項の規定に適合するか）について以下に検討する。
　
　（２の１）特許法第２９条第２項の検討
　（あ）引用刊行物に記載された発明
引用刊行物１；特開平７−２７４６４５号公報
引用刊行物２；特開平５−３０４８０５号公報
引用刊行物３；特開平７−１２３８２１号公報
　
　原査定の拒絶の理由に引用された特開平７−２７４６４５号公報（以下、「引用刊行物１」という）の、
　公報第２頁第２欄第２７行乃至第３９行には、
「図中（１）は作業者が搭乗する走行車であり、（中略）ステップ（１１）を介して作業者が搭乗する車体カバー（１２）によって前記ギヤ変速ケース（４）等を覆い、前記車体カバー（１２）上部に運転席（１３）を取付け、」と、
　公報第３頁第４欄第１行乃至第１１行には、
「肥料を入れるタンク（４６）、肥料を定量供給する繰出ケース（４７）、フロート（３４）（３５）の側条施肥シュート（４８）にフレキシブル形送出パイプ（４９）を介して肥料を排出させる送風ターボファン（５０）と、円筒形の施肥本体フレーム（５１）とを、前記施肥機（３６）に備えると共に、開閉自在な蓋（５２）によって施肥本体フレーム（５１）右側開口を閉塞し、施肥本体フレーム（５１）左側端にターボファン（５０）を取付け、６条分の６組の繰出ケース（４７）…と送出パイプ（４９）…を施肥本体フレーム（５１）に配設させている。」と、
　公報第４頁第５欄第２２行乃至第３０行には、
「また、前記施肥本体フレーム（５１）にケースブラケット（６８）を溶接固定させ、該ケースブラケット（６８）に前記繰出ケース（４７）をボルト止め固定させるもので、１ユニットとして構成する２条分の繰出ケース（４７）（４７）を左右の昇降レール（５６）（５６）間に配設させ、昇降レール（５６）（５６）の機外側に２条分の繰出ケース（４７）（４７）を夫々配設させ、２条１組として３ユニットの繰出ケース（４７）…を左右に並設させている。」と、
　公報第４頁第５欄第３１行乃至第３４行には、
「さらに、図１０、図１１、図１２、図１３、図１４に示す如く、前記繰出ケース（４７）の上面前側の取入口（６９）に前記タンク（４６）下部出口を嵌着させると共に、」と、
　公報第５頁第８欄第１１行乃至第３２行には、
「また、前記繰出ケース（４７）にクラッチケース（１２１）を固定させると共に、前記繰出軸（８７）上端側にベベルギヤ（１２２）（１２３）を介して入力軸（１２４）を常時連結させるもので、入力軸（１２４）を前記クラッチ軸（１１６）に継断自在に連結させる条止めクラッチ（１２５）を備え、該クラッチ（１２５）を前記クラッチケース（１２１）に内設させると共に、前記条止めクラッチ（１２５）を継断操作するクラッチレバー（１２６）とクラッチアーム（１２７）を前記クラッチケース（１２１）の前後に振分け配設させ、（中略）そして、前記植付け条止めレバー（１２８）操作によって６条植え用の各植付爪（１７）…のいずれかを停止させたとき、停止させた植付爪（１７）に対応する条止めクラッチ（１２５）を切断動作させて施肥動作を中止させ、植付爪（１７）によって苗を植付ける条にだけ施肥を行うもので、例えば左側と中央の４条の苗植付けを行うとき、左側と中央の４条の繰出ケース（４７）…から施肥を行うと共に、」と、
　公報第６頁第９欄第８行乃至第１３行には、
「ターボファン（５０）の送風により、繰出ケースに取出されたタンク（４６）の肥料（Ａ）が送出パイプ（４９）から側条施肥シュート（４８）に送出され、植付爪（１７）による苗の植付け条に隣接させて肥料（Ａ）を埋込む側条施肥が行われる。」と、
　公報第６頁第１０欄第１８行乃至第２６行には、
「【発明の効果】以上実施例から明らかなように本発明は、走行車（１）の車体フレーム（３）後端部にリンクフレーム（４０）を立設させ、植付部（１５）を支持させるリンク機構（２７）を前記リンクフレーム（４０）に連結させる乗用田植機において、前記車体フレーム（３）後端部でリンクフレーム（４０）上側にベースフレーム（５３）を取付け、左右方向に横架させる前記ベースフレーム（５３）を介して施肥機（３６）を設けたもので、」と、それぞれ記載されている。
　そして、これらの記載と図面、特に施肥機部の背面図である【図１】の記載事項とを併せると、
　引用刊行物１には、
「６組のタンク（４６）及び繰出ケース（４７）を左右方向に並設させる施肥機（３６）を走行車（１）に設ける乗用田植機において、施肥本体フレーム（５１）に対して中央の２条分の繰出ケース（４７）及びタンク（４６）と左右夫々に２条分の繰出ケース（４７）及びタンク（４６）とを取付け、繰出ケース（４７）に固定されたクラッチケース（１２１）内でクラッチ軸（１１６）と入力軸（１２４）とを継断自在に連結させると共に、走行車（１）に車体カバー（１２）を備えた乗用田植機」の発明（以下、「引用発明１」という）が記載されていると認められる。
　
　また、原査定の拒絶の理由に引用された特開平５−３０４８０５号公報（以下、「引用刊行物２」という）の、
　公報第２頁第１欄第３３行乃至第４５行には、
「【課題を解決するための手段】この発明は、前記の従来技術のもつ課題を解決すべく、乗用型走行車体１にリンク機構２３を介して苗植装置２５を上下動自在に装着した乗用型苗植機に施肥装置３６を装備してなる施肥装置付き乗用型苗植機において、（中略）施肥装置３６の施肥タンク３７の機体左右方向幅を左右最外側の苗植付け装置３３・３３の左右幅と同じかそれよりも小さくなるように構成した施肥装置付き乗用型苗植機としたものである。」と、
　公報第２頁第１欄第４７行乃至第２欄第６行には、
「【発明の作用効果】この発明は、上記のように構成したので、通常の施肥田植え作業時には適正な作業ができ、圃場から別の圃場へ移動する時・路上走行をする時・トラックに積む時・納屋に保管する時等には、（中略）施肥タンク３７…の機体左右方向幅も左右最外側の苗植付け装置３３・３３の左右幅と同じかそれよりも小さいので、移動及び積込が容易に行なえ、保管場所も狭くてすむ。」と、
　公報第３頁第３欄第３行乃至第１０行には、
「２１はＦＲＰにて成型された車体カバ−であって、エンジン４の周囲を覆うエンジンカバ−部２１ａと、前記エンジン４の前方及び左右側方に設けられたステップ２１ｂと、ハンドルポストカバー２１ｃと、エンジン４の後方に設けられたステップ２１ｄとが一体形成され、左右フレーム２・２上に固定されている。２２は操縦座席で、前記車体カバー２１上面に設置固定されている。」と、
　公報第３頁第４欄第１０行乃至第２３行には、
「３６は施肥装置であって、前記支持フレーム２４の上端部に固着されており、施肥タンク３７…と、該各施肥タンク３７…の下部に装着され施肥タンク３７内の粒状肥料を一定量づつ繰り出す肥料繰出装置３８…と、該肥料繰出装置３８にて繰り出された肥料を案内する透明の施肥パイプ３９…と、（中略）とにより構成されている。尚、４１は肥料繰出装置３８…を駆動する駆動アームであって、移動フレーム３上に固設の施肥駆動ケース４２に連結されており、施肥駆動ケース４２には走行ミッションケース５より駆動軸４３にて動力が伝達されるように構成されている。」と、
　公報第３頁第４欄第２４行乃至第３２行には、
「そして、施肥タンク３７…は２条単位の３つの肥料タンク３７ａ…と１条単位の２つの肥料タンク３７ｂ…とにより構成され、１条単位の２つの肥料タンク３７ｂ…は２条単位の３つの肥料タンク３７ａ…の左右両外側に各々蝶番３７ｃ・３７ｃにて連結されており、図３に示すようにイ方向に収納できるように構成されている。尚、１条単位の２つの肥料タンク３７ｂ…は収納位置と施肥作用位置とで周知の係合部材で固定できるように構成している。」と、
　公報第４頁第６欄第１２行乃至第１６行には、
「施肥タンク３７…も左右外側の１条単位の肥料タンク３７ｂ…をイ方向に回動させて収納位置とすれば、機体の横幅は左右最外側の苗植付け装置３３・３３の幅Ｗ１となり、移動及び積込が容易に行なえ、保管場所も狭くてすむ。」と、それぞれ記載されている。
　そして、これらの記載と、乗用型田植機の全体側面図である【図１】及び主要構成部材を示す平面図である【図２】並びに主要構成部材の作用を説明する平面図である【図３】の記載事項とを併せると、
　引用刊行物２には、
「８条分の肥料タンク３７ａ，３７ｂ及び肥料繰出装置３８…を左右方向に並設させる施肥装置３６を乗用型走行車体１に設ける乗用型田植機において、中央の肥料タンク３７ａ及び肥料繰出装置３８…に対して左右の肥料タンク３７ｂ…及び肥料繰出装置３８…を回動自在に取付け、肥料繰出装置３８…は施肥駆動ケース４２に連結される駆動アーム４１により駆動され、中央の肥料タンク３７ａと左右の肥料タンク３７ｂ…との連結位置の前側に設ける蝶番３７ｃ，３７ｃの回りに左右の肥料繰出装置３８…を回転させて車体カバー２１のステップ２１ｄ上方に移行させることにより、移動及び積込が容易に行なえ、保管場所も狭くてすむ施肥装置３６付き乗用型田植機」の発明が記載されていると認められる。
　
　また、原査定の拒絶の理由に引用された特開平７−１２３８２１号公報（以下、「引用刊行物３」という）の、
　公報第２頁第２欄第２１行乃至第４５行には、
「乗用田植機１は、走行車体２の後側に昇降作動する昇降リンク装置３を介して苗移植機４が装着されて構成されている。また、走行車体２の後部には、側条施肥装置５が設けられている。側条施肥装置５は、肥料を収容する横長で一体のホッパー部５ａとその下側に苗植付条数と同数個横一列で一体的に設けられる肥料繰り出し部５ｂ…が座席２０の後側で苗載台４２の前側、且つリヤステップ部２１ｃ上に配置され、各肥料繰り出し部５ｂ…と各条植付個所近傍に設けられた施肥ガイド部５ｄ…がホース５ｃ…で連結され、そのホース５ｃ…内を流れる圧風により肥料繰り出し部５ｂ…で繰り出された肥料が施肥ガイド部５ｄ…に搬送されて側条施肥されるように構成されている。（中略）尚、ブロアー５ｅは左側外側方に突出しているが、機体を左右幅縮小するときは、エアーチャンバー５ｆとの連結を外して上下軸５ｇ回りに回動させ左右方向内側に移動させられるようになっている。」と、
　公報第３頁第３欄第３９行乃至第４１行には、
「更に、エンジンＥの上側がエンジンカバー１９で覆われ、そのカバー１９上に座席２０が取り付けられている。」と、
　公報第３頁第４欄第３８行乃至第４頁第５欄第１行には、
「【００１２】また、走行車体２には、メインステップ２１が座席２０より低位で前輪６・６の上側を覆うようにして設けられている。このステップ２１は、座席２０及びハンドル１８の左右両側の左右ステップ部２１ａ・２１ａと、座席２０の前側で左右ステップ部を連繋する中央ステップ部２１ｂとで構成される。また、座席２０の後側には、メインステップ２１よりステップ面が高く後輪７・７の上側を覆うようにしたリヤステップ部２１ｃが、左右ステップ部の後端部を連繋するように左右にわたって設けられている。
【００１３】更に、左右拡張ステップ２２・２２が、左右ステップ部２１ａ・２１ａの左右両外側で、前輪車軸上方位置近傍からリヤステップ部２１ｃ左右外側位置に渡って設けられている。」と、
　公報第５頁第７欄第２０行乃至第３９行には、
「【００２１】また、苗載台４２の各条苗載面４２ａ…下位側にはベルト式の苗縦送り装置４５…が設けられていて、苗載台４２が左右方向に移動して植付装置４１…が苗分割口４３ｃ…から苗の下端部一列分を分割し移植し終えると、次に分割し移植される下端部一列分が苗分割口４３ｃ…上に位置するよう苗を移送する。この苗縦送り装置４５の構成は、駆動ローラー４５ａと回転自在に支持された回転ローラー４５ｂとそのローラー４５ａ、４５ｂに掛け回された無端で外周に小突起の付いた苗送りベルト４５ｃからなる。駆動ローラー４５ａ…はローラー２条分が１本のローラー駆動軸４５ｄ…で一体回転するように取り付けられ、各ローラー駆動軸４５ｄ…にはそれぞれ駆動アーム４５ｅ…がラチェット機構４５ｆ…を介して取り付けられている。駆動アーム４５ｅ…は、苗載台４２が左右往復終端位置に移動したときに、伝動ケース４０から突出して回転する苗縦送り駆動軸４５ｇに一体に取り付けられた苗縦送り駆動アーム４５ｈ…のローラー部４５ｈ’…が接当して、所定の回転角度回転され、駆動ローラー４５ａ…が駆動回転されて苗送りベルト４５ｃが所定量だけ回転する。」と、
　公報第８頁第１３欄第３３行乃至第３６行には、
「よって、左右両端条の苗載部４２−１・４２−８を折り畳み回動軸６０・６０回りに回動させて内側の苗載せ部４２−２・４２−７の上側に被さった状態まで折りたためる構成になっている。」と、
　公報第９頁第１６欄第３５行乃至第１０頁第１７欄第７行には、
「【００４３】ところで、左右両端条の苗載部４２−１・４２−８を作業可能状態に広げるときに、この苗載部４２−１・４２−８の苗縦送り装置４５−１・４５−８と内側の苗載せ部４２−２・４２−７の苗縦送り装置４５−２・４５−７とが連動するように連結される。即ち、内側の苗載部４２−２・４２−７のローラー駆動軸４５ｄ−２・４５ｄ−７は、その内側軸端部に駆動アーム４５ｅ・４５ｅがラチェット機構４５ｆ・４５ｆを介して取り付けられ、外側軸端部にクラッチ爪を備えた駆動クラッチ体７２ａ・７２ａが一体に取付られている。この駆動クラッチ体７２ａ・７２ａに、苗載部４２−１・４２−８のローラー駆動軸４５ｄ−１・４５ｄ−８に一体回転するように取り付けられた従動クラッチ体７２ｂ・７２ｂが、左右両端条の苗載部４２−１・４２−８の装着時に噛み合う。従動クラッチ体７２ｂ・７２ｂは、ローラー駆動軸４５ｄ−１・４５ｄ−８に一体回転且つ軸芯方向には摺動可能に取り付けられ、更に、スプリング７２ｃ・７２ｃにより軸端側に付勢されている。よって、駆動クラッチ体７２ａ・７２ａと連結するときに、双方のクラッチ爪どうしが突き合っても従動クラッチ体側が逃げることができるので、両クラッチ体の位相が合っていなくても無理なく連結でき、且つ、噛み合い状態へ速やかに移行する。」と、
　公報第１２頁第２１欄第１５行乃至第１８行には、
「【００５２】よって、以上のようにこの田植機は、苗移植機４の左右幅を縮小可能に構成とし、苗移植機に設けられる左右往復動する苗載台４２の左右外側の条の苗載部４２−１・４２−８を左右内側に移動可能に設け、」と、
　公報第１２頁第２１欄第３４行乃至第３７行には、
「【００５４】よって、左右幅を縮小するときの誤操作を防止でき、また、左右幅縮小時のコンパクト性の向上を図ることができ、機体の運搬時や倉庫への格納時等における省スペース性の向上を図ることができる。」と、それぞれ記載されている。
　そして、これらの記載と、図面、特に乗用田植機の側面図である【図５】及び乗用田植機の平面図である【図６】並びに左右両端条の苗載部を折りたたんだ状態の断面図である【図１０】の記載事項とを併せると、
　引用刊行物３には、
「ホッパー部５ａ及び複数の肥料繰り出し部５ｂ…を左右方向に並設させる側条施肥装置５と複数の苗載部を左右方向に並設させる苗移植機４とを走行車体２に設ける乗用田植機１において、
　側条施肥装置５におけるブロアー５ｅは、エアーチャンバー５ｆとの連結位置の前側に設ける上下軸５ｇ回りにブロアー５ｅを回動させてエンジンカバー１９側部の左右拡張ステップ２２上方に移行させるものであり、
　苗移植機４は、内側の苗載部４２−２・４２−７に対して左右両端条の苗載部４２−１・４２−８を回動自在に取付け、左右両端条の苗載部に設けるローラー駆動軸４５ｄ−１・４５ｄ−８を内側の苗載部４２−２・４２−７に設けるローラー駆動軸４５ｄ−２・４５ｄ−７に対して着脱自在に噛合連結させ、軸端部に設けられた双方のクラッチ爪によって左右両端条の苗載部のローラー駆動軸と内側の苗載部のローラー駆動軸を連結させると共に、前記双方のクラッチ爪の噛合位置の上側に設ける折り畳み回動軸６０・６０回りに左右両端条の苗載部４２−１・４２−８を回動させて内側の苗載せ部４２−２・４２−７の上方に移行させることにより、
　左右幅縮小時のコンパクト性の向上を図ることができ、機体の運搬時や倉庫への格納時等における省スペース性の向上を図ることができる乗用田植機１」の発明が記載されていると認められる。
　　
　（い）本願補正発明と引用発明１との比較・検討
　引用発明１の「６組のタンク及び繰出ケース」は、本願補正発明の「複数組のホッパ及び繰出ケース」に相当し、以下同様に、「施肥機」は「施肥部」に、「走行車」は「走行車」に、「乗用田植機」は「田植機」に、「中央の２条分の繰出ケース及びタンク」は「中央のホッパ及び繰出ケース」に、「左右夫々に２条分の繰出ケース及びタンク」は「左右のホッパ及び繰出ケース」に、「車体カバー」は「車体カバー」に、それぞれ相当する。そして、引用発明１の「繰出ケース（４７）に固定されたクラッチケース（１２１）内のクラッチ軸（１１６）と入力軸（１２４）」は、本願補正発明の「左右の繰出ケース（３８１）（３８２）に設ける繰出軸（１３７）と中央の繰出ケース（３８）に設ける固定側軸（１０９）」と比較して「左右の繰出ケースに設ける施肥動作軸と中央の繰出ケースに設ける施肥動作軸」の限りにおいて一致するから、両者の一致点及び相違点は次のとおりである。
　
　一致点
「複数組のホッパ及び繰出ケースを左右方向に並設させる施肥部を走行車に設ける田植機において、中央のホッパ及び繰出ケースの左右夫々にホッパ及び繰出ケースを取付け、中央の繰出ケース及び左右の繰出ケースに施肥動作軸を設けると共に、走行車に車体カバーを備えた田植機」
　
　相違点（Ａ）
　本願補正発明では中央のホッパ及び繰出ケースに対して左右のホッパ及び繰出ケースを回動自在に取付け、支点軸回りに左右繰出ケースを回転させて車体カバー側部の補助ステップ上方に移行させるのに対し、引用発明１ではそのような構成を有していない点
　相違点（Ｂ）
　本願補正発明では左右の繰出ケースに設ける繰出軸を中央の繰出ケースに設ける固定側軸に対して着脱自在に噛合連結させ、その噛合連結位置を支点軸の後側に設け、爪体によって左右の繰出ケースの繰出軸と中央の繰出ケースの固定側軸を連結させると共に、中央の繰出ケースの固定側軸端部の爪体を中央のホッパの左右幅内に設けるのに対し、引用発明１ではそのような構成を有していない点
　
　そこで、上記相違点について検討する。
　相違点（Ａ）について
　引用刊行物２には、中央のホッパ（肥料タンク）及び繰出ケース（肥料繰出装置）に対して左右のホッパ及び繰出ケースを、ホッパの前側に設けた蝶番の回りに回動自在に取付け、左右の繰出ケースをステップ上方に移行させる田植機が記載されている。ここで、蝶番が支点軸を有することは通常の技術であり、引用発明１において、施肥本体フレーム（５１）の前側に支点軸を設け、中央のホッパ（タンク）に対して左右のホッパを前方に移行させるようにして、相違点（Ａ）に係る構成とすることは当業者が容易になし得ることである。
　相違点（Ｂ）について
　引用刊行物３には、施肥部（側条施肥装置）を設ける田植機（乗用田植機）における動力伝達機構として、左右の部材（左右両端条の苗載部）に設ける駆動軸（ローラー駆動軸）を中央の部材（内側の苗載部）に設ける固定側軸（ローラー駆動軸）に対して、爪体（双方のクラッチ爪）の噛合位置の上側に設ける支点軸（折り畳み回動軸）回りに回動させることにより着脱自在に噛合連結させ、これらの両軸の噛合連結側の端部に設けられた爪体によって左右の部材の駆動軸と中央の部材の固定側軸を連結させる技術が記載されている。そして、引用刊行物１には、施肥本体フレーム（５１）の後方に繰出駆動軸（１０９）が設けられており（【図９】及び【図１５】参照）、引用発明１において、中央のホッパ（タンク）に対して左右のホッパを前方に移行させるようにした際、繰出駆動軸の噛合連結位置を支点軸の後側にし、相違点（Ｂ）に係る構成とすることは当業者が容易になし得ることである。
　
　そして、引用刊行物１には本願補正発明が解決しようとする課題である「左右幅を縮小し運搬作業性の向上を図る」ことについて記載されていないが、田植機の分野において当該課題を解決しようとすることは当業者であれば容易に想到できることであるから、施肥部を備えた田植機において共通する技術が示された引用刊行物１乃至３に記載された発明に基づいて本願補正発明の構成とすることは当業者が容易になし得るものであり、また本願補正発明の効果は、引用刊行物１乃至３に記載されたものと比較しても格別のものは認められない。
　
　したがって、本願補正発明は、引用刊行物１乃至３に記載された発明に基づいて、当業者が容易に発明をすることができたものであるから、特許法第２９条第２項の規定により特許出願の際独立して特許を受けることができないものである。
　
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
第三、本願発明について
　平成１２年１１月２２日付の手続き補正は上記のとおり却下されたので、本願の請求項１に係る発明（以下、同項記載の発明を「本願発明」という）は、平成１２年１月２５日付手続補正書の特許請求の範囲の請求項１に記載された事項により特定される、以下のとおりのものである。
　「複数組のホッパ（３７）（３７１）（３７２）及び繰出ケース（３８）（３８１）（３８２）を左右方向に並設させる施肥部（３６）を走行車（１）に設ける田植機において、中央のホッパ（３７）及び繰出ケース（３８）に対して左右のホッパ（３７１）（３７２）及び繰出ケース（３８１）（３８２）を回動自在に取付け、左右の繰出ケース（３８１）（３８２）に設ける繰出軸（１３７）を中央の繰出ケース（３８）に設ける固定側軸（１０９）に対して着脱自在に噛合連結させ、爪体（１３８）（１３９）によって左右の繰出ケース（３８１）（３８２）の繰出軸（１３７）と中央の繰出ケース（３８）の固定側軸（１０９）を連結させると共に、中央の繰出ケース（３８）の固定側軸（１０９）端部の爪体（１３８）を中央のホッパ（３７）の左右幅内に設けたことを特徴とする田植機。」
　
　特許法第２９条第２項の検討
　
　引用刊行物に記載された発明
　原査定の拒絶の理由に引用された刊行物及びその記載事項は前記「第二、（２の１）（あ）」に記載したとおりである。
　
　本願発明と引用発明との対比・判断
　本願補正発明は、本願発明における「左右繰出ケース」について「爪体の噛合連結位置の前側に設ける支点軸回りに回転させて車体カバー側部の補助ステップ上方に移行」させるとの限定を付加したものである。
　そうすると、本願発明の発明特定事項を全て含み、さらに他の発明特定事項を付加したものに相当する本願補正発明が、前記「第二、（２の１）（い）」に記載したとおり、引用刊行物１乃至３に記載された発明に基づいて、当業者が容易に発明をすることができたものであるから、本願発明も、同様の理由により、引用刊行物１乃至３に記載された発明に基づいて、当業者が容易に発明をすることができたものである。
　
第四、むすび
　以上のとおり、本願発明は、引用刊行物１乃至３に記載された発明に基づいて、当業者が容易に発明をすることができたものであるから、特許法第２９条第２項の規定により特許を受けることができない。
　よって、結論のとおり審決する。